(57)【要約】      （修正有）【課題】水難事故が起きた時、要救助者に投げ与えるだけで、着水後３秒で膨らみ、最大浮力が１５０ＫＧで、二酸化炭素ガスボンベを交換することで、再利用できる携帯型投下式自動膨張救命浮環を提供する。【解決手段】ドーナツ状の気室を含む携帯型投下式自動膨張救命浮環であって、気室１に自動ガス充填装置２が接続され、自動ガス充填装置は気室に固定されたコネクタブロックを含み、コネクタブロック内に気室と連通する空洞部が設けられ、コネクタブロックに水感知カートリッジ及び二酸化炭素ガスボンベが接続され、二酸化炭素ガスボンベの接続口が空洞部と連通し、二酸化炭素ガスボンベの接続口に封板が設けられ、水感知カートリッジに封板と対面する撃針が接続される。水感知カートリッジは着水後膨張し、撃針を押動して封板を突き破り、二酸化炭素ガスボンベから気室にガスを充填させる。【選択図】図１
0003222904.tif 000002
【実用新案登録請求の範囲】
【請求項１】
ドーナツ状の気室を含む携帯型投下式自動膨張救命浮環であって、前記気室に自動ガス充填装置が接続され、前記自動ガス充填装置は前記気室に固定されたコネクタブロックを含み、前記コネクタブロック内に前記気室と連通する空洞部が設けられ、前記コネクタブロックに水感知カートリッジ及び二酸化炭素ガスボンベが接続され、前記二酸化炭素ガスボンベの接続口が前記空洞部と連通し、前記二酸化炭素ガスボンベの接続口に封板が設けられ、前記水感知カートリッジに前記封板と対面する撃針が接続されることを特徴とする、携帯型投下式自動膨張救命浮環。
【請求項２】
前記二酸化炭素ガスボンベは、ねじ部或いは可動係止口部を通じてコネクタブロックに接続されることを特徴とする、請求項１に記載の携帯型投下式自動膨張救命浮環。
【請求項３】
前記気室の外周に複数のつかみ索取り付け部が設けられ、かつ前記気室の外周に環状に配置されたつかみ索が設けられ、前記つかみ索が各前記つかみ索取り付け部内を挿通することを特徴とする、請求項１に記載の携帯型投下式自動膨張救命浮環。
【請求項４】
前記気室には、反射テープが設けられることを特徴とする、請求項１又は３に記載の携帯型投下式自動膨張救命浮環。
【請求項５】
前記気室には、前記気室の内部と連通する補助送気口管が設けられることを特徴とする、請求項１に記載の携帯型投下式自動膨張救命浮環。
【請求項６】
前記つかみ索取り付け部は８個あり、気室の外周に均一に配置されることを特徴とする、請求項３に記載の携帯型投下式自動膨張救命浮環。
【請求項７】
前記反射テープは複数枚あり、前記気室の両面に分布されることを特徴とする、請求項４に記載の携帯型投下式自動膨張救命浮環。
【請求項８】
前記気室に連結紐が連結されており、前記連結紐に収納袋が連結されることを特徴とする、請求項１に記載の携帯型投下式自動膨張救命浮環。
【請求項９】
前記収納袋に掛け紐が連結され、前記掛け紐に掛止具が設けられることを特徴とする、請求項８に記載の携帯型投下式自動膨張救命浮環。
【考案の詳細な説明】
【技術分野】
【０００１】
本考案は、水難救助用器具分野に属し、特に、携帯型投下式自動膨張救命浮環に関する。
【背景技術】
【０００２】
水難救助の即時性、迅速性は、生命の安全性に直接関わり、救命浮環は水難救助の重要な装備であり、その使用の便利さ、迅速さにより、救助速度を高めることができる。
【０００３】
従来の救命浮環は、主に２種類あり、一種類が普通の救命浮環で、救命浮環の使用時、先にガスが充填されているため、持ち運びに不便であり、もう一種類が自動膨張救命浮環で、救命浮環を使用する時、関連の操作により速やかにガスが充填されるため、持ち運びに便利であるが、現在市販されている前記救命浮環は、一般的に使用者が手動で操作してから関連装置にガスを自動充填させることができるが、緊急事態において、この関連操作が難しく、自力脱出の使用に不便であった。
【考案の概要】
【考案が解決しようとする課題】
【０００４】
本考案は、従来技術の不足及び存在する問題を克服するため、着水後自動的に膨張させることで、自力脱出及び他人救助に便利で、かつガス充填が速やかで、万一の落水時に速やかに救助させることができる携帯型投下式自動膨張救命浮環を提供することを目的とする。
【課題を解決するための手段】
【０００５】
上記目的を達成するため、本考案に係る携帯型投下式自動膨張救命浮環は、ドーナツ状の気室を含み、前記気室に自動ガス充填装置が接続され、自動ガス充填装置が気室に固定されたコネクタブロックを含み、コネクタブロック内に気室と連通する空洞部が設けられ、コネクタブロックに水感知カートリッジ及び二酸化炭素ガスボンベが接続され、二酸化炭素ガスボンベの接続口が空洞部と連通し、二酸化炭素ガスボンベの接続口に封板が設けられ、水感知カートリッジに封板と対面する撃針が接続される。
【０００６】
前記二酸化炭素ガスボンベは、ねじ部或いは可動係止口部を通じてコネクタブロックに接続される。
【０００７】
前記気室の外周に複数のつかみ索取り付け部が設けられ、かつ気室の外周に環状に配置されたつかみ索が設けられ、つかみ索が各つかみ索取り付け部内を挿通する。
【０００８】
前記気室には、反射テープが設けられる。
【０００９】
前記気室には、気室の内部と連通する補助送気口管が設けられる。
【００１０】
前記つかみ索取り付け部は８個あり、気室の外周に均一に配置される。
【００１１】
前記反射テープは複数枚あり、気室の両面に分布される。
【００１２】
前記気室に連結紐が連結されており、連結紐に収納袋が連結され、収納袋に掛け紐が連結され、掛け紐に掛止具が設けられる。
【考案の効果】
【００１３】
本考案に係る水感知カートリッジは、着水後膨張し、撃針を押動して封板を突き破らせることで、二酸化炭素ガスボンベから気室にガスを充填させ、従来の救命浮環による救助に対比すると、水難事故が起きた時、救命浮環を要救助者に投げ与えるだけで、着水後３秒で膨らみ、最大浮力が１５０ＫＧで、二酸化炭素ガスボンベを交換することで、再利用できる。
【図面の簡単な説明】
【００１４】
【図１】本考案の構造を示す模式図である。
【図２】本考案に係る自動ガス充填装置の構造を示す模式図である。
【考案を実施するための形態】
【００１５】
以下、当業者に理解させてもらうため、添付図面及び具体的実施例を組み合わせて本考案を更に詳細に説明する。
【００１６】
図１及び図２に示すように、携帯型投下式自動膨張救命浮環であって、ドーナツ状の気室１を含み、気室１に自動ガス充填装置２が接続され、自動ガス充填装置２は、着水後気室１に対しガスを自動充填して、気室１を膨張させることができる。
【００１７】
自動ガス充填装置２は、気室１に固定されたコネクタブロック２１を含み、コネクタブロック２１内に気室１と連通する空洞部２１１が設けられ、コネクタブロック２１に水感知カートリッジ２２及び二酸化炭素ガスボンベ２３が接続され、二酸化炭素ガスボンベ２３の接続口が空洞部２１１と連通し、二酸化炭素ガスボンベ２３の接続口に封板２３１が設けられ、水感知カートリッジ２２に封板２３１と対面する撃針２４が接続される。水感知カートリッジ２２は、着水後膨張し、撃針２４を押動して封板２３１を突き破らせることで、二酸化炭素ガスボンベ２３内のガスが空洞部２１１を経由して気室１内に入ることで、気室１を急速に膨張させる。
【００１８】
二酸化炭素ガスボンベ２３は、ねじ部或いは可動係止口部を通じてコネクタブロック２１に接続され、かつ二酸化炭素ガスボンベ２３がねじ部或いは可動係止口部を通じて簡単に取り外すことができ、二酸化炭素ガスボンベ２３又は自動ガス充填装置全体を交換することで再使用できる。
【００１９】
気室１の外周に複数のつかみ索取り付け部３が設けられ、かつ気室１の外周に環状に配置されたつかみ索４が設けられ、つかみ索４が各つかみ索取り付け部３内を挿通する。つかみ索取り付け部３は８個あり、気室１の外周に均一に配置される。従来の救命浮環は、取手（取手は気室正面の中央に設けられる）を通じて要救助者に掴ませて救助する。ただし、容易に身体が傾く又は着力点の問題により、要救助者が取手をしっかりと握ることできない。つかみ索取り付け部３の間につかみ索４が設けられ、要救助者は水中でつかみ索４をつかむだけで救助されることができ、より一層迅速かつ便利である。
【００２０】
気室１には、反射テープ５が設けられる。反射テープ５は複数枚あり、気室１の両面に分布される。反射テープの設置は、要救助者及び救助者が気室１の位置を見つけやすく、速やかに救助するためである。
【００２１】
気室１には、気室１内部と連通する補助送気口管６が設けられる。使用しない時、補助送気口管６を通じて気室１内のガスを排出させ、同時に補助送気口管６を通じて使用時に手動でガスを充填することで、ガス充填速度を上げることができる。
【００２２】
気室１に連結紐７が連結されており、連結紐７に収納袋８が連結され、収納袋８に掛け紐９が連結され、掛け紐９に掛止具１０が設けられる。使用しない時、気室１を折り畳んで収納袋８内に収納することができ、この場合において傘を畳んだようなサイズであるため、持ち箱に便利である。収納袋８は、連結紐７を通じて気室１に連結され、収納袋８の紛失を防止でき、掛止具１０を通じて腰に引っ掛けることもできる。
【００２３】
以上、本考案につき好適な実施例を挙げて種々説明したが、本考案はこの実施例に限定されるものではなく、本考案の技術的思想を逸脱しない範囲内で多くの改変を施し得るのは、均しく本考案の保護範囲内に網羅する。
【符号の説明】
【００２４】
１気室
２自動ガス充填装置
２１コネクタブロック
２１１空洞部
２２水感知カートリッジ
２３二酸化炭素ガスボンベ
２３１封板
２４撃針
３つかみ索取り付け部
４つかみ索
５反射テープ
６補助送気口管
７連結紐
８収納袋
９掛け紐
１０掛止具
【図１】
0003222904.tif 000003
【図２】
0003222904.tif 000004